(57)【要約】【課題】装着部に装着されたＩＣカードを装着位置にロックし、誤ってＩＣカードが装着部より外れてしまうことを防止する。【解決手段】筐体２と、筐体２の前面に設けられ、複数種類のＩＣカード８が選択的に挿入される挿入口６と、挿入口６に連続して筐体２内に設けられ、挿入口６より挿入されたＩＣカード８が装着される装着部７と、装着部７に装着されたＩＣカード８を装着位置に保持するカード保持片４９と、カード保持片４９がＩＣカード８を保持している状態にロックするロック機構７１とを備える。【選択図】　図１１
2004119140.tif 000002
【特許請求の範囲】
【請求項１】
機器本体と、
上記機器本体の一部に設けられ、少なくとも挿入側の外形形状及び大きさを共通にする複数種類のＩＣカードが選択的に挿入される挿入口と、
上記挿入口に連続して上記機器本体内に設けられ、上記挿入口より挿入されたＩＣカードが装着される装着部と、
上記装着部に装着されたＩＣカードを装着位置に保持するカード保持部と、
上記カード保持部が上記ＩＣカードを保持している状態にロックするロック部とを備える電子機器。
【請求項２】
更に、上記ロック部が上記カード保持部をロックしている状態とロックしていない状態とに切り換える切換操作部を備える請求項１記載の電子機器。
【請求項３】
更に、上記ロック部が上記カード保持部をロックしている状態を検出する検出部を有する請求項２記載の電子機器。
【請求項４】
更に、上記ロック部を、上記カード保持部をロックしている状態に切り換える駆動部を備える請求項１記載の電子機器。
【請求項５】
上記カード保持部は、上記ＩＣカードが上記装着部に装着されるとき、上記ＩＣカードに設けられた凹部に係合する突部が設けられた弾性片からなる請求項１記載の電子機器。
【請求項６】
上記ロック部は、上記弾性片を上記装着部に装着されたＩＣカードの方向に押圧することによって、上記弾性片が上記ＩＣカードを装着位置に保持している状態にロックする請求項５記載の電子機器。
【請求項７】
機器本体と、
上記機器本体の一部に設けられ、少なくとも挿入側の外形形状及び大きさを共通にする複数種類のＩＣカードが選択的に挿入される挿入口と、
上記挿入口に連続して上記機器本体内に設けられ、上記挿入口より挿入されたＩＣカードが装着される装着部と、
上記装着部に装着されたＩＣカードの種類を判別する判別部と、
上記判別部が特定種類のＩＣカードを検出したとき、上記装着部に装着された特定種類のＩＣカードを装着位置にロックするロック部と、
上記ロック部が上記特定のＩＣカードを上記装着部の装着位置にロックしているかどうかを検出する検出部と、
上記検出部が、上記ロック部が上記特定のＩＣカードを上記装着部の装着位置にロックしていないことを検出したとき、警告を行う警告手段とを備える電子機器。
【請求項８】
更に、情報を表示する表示部を備え、
上記警告手段は、上記表示部に警告を表示する請求項７記載の電子機器。
【請求項９】
更に、上記装着部に装着されたＩＣカードを装着位置に保持するカード保持部を備え、
上記ロック部は、上記カード保持部が上記ＩＣカードを保持している状態にロックする請求項７記載の電子機器。
【請求項１０】
更に、上記ロック部が上記カード保持部をロックしている状態とロックしていない状態とに切り換える切換操作部を備える請求項７記載の電子機器。
【請求項１１】
上記特定のＩＣカードは、撮像素子を有する請求項７記載の電子機器。
【請求項１２】
上記特定のＩＣカードは、アンテナ素子を有する請求項７記載の電子機器。
【請求項１３】
上記特定のＩＣカードは、記憶素子を有する請求項７記載の電子機器。
【請求項１４】
機器本体と、
上記機器本体の一部に設けられ、少なくとも挿入側の外形形状及び大きさを共通にする複数種類のＩＣカードが選択的に挿入される挿入口と、
上記挿入口に連続して上記機器本体内に設けられ、上記挿入口より挿入されたＩＣカードが装着される装着部と、
上記装着部に装着されたＩＣカードの種類を判別する判別部と、
上記判別部が特定種類のＩＣカードを検出したとき、上記装着部に装着された特定種類のＩＣカードを装着位置にロックするロック部と、
上記判別部が特定種類のＩＣカードを検出したとき、上記ロック部を、上記特定のＩＣカードを上記装着部の装着位置にロックする状態にする駆動部とを備える電子機器。
【請求項１５】
更に、上記装着部に装着されたＩＣカードを装着位置に保持するカード保持部を備え、
上記ロック部は、上記カード保持部が上記ＩＣカードを保持している状態にロックする請求項１４記載の電子機器。
【請求項１６】
上記特定のＩＣカードは、撮像素子を有する請求項１４記載の電子機器。
【請求項１７】
上記特定のＩＣカードは、アンテナ素子を有する請求項１４記載の電子機器。
【請求項１８】
上記特定のＩＣカードは、記憶素子を有する請求項１４記載の電子機器。
【請求項１９】
ＩＣカードが装着されたことを検出するステップと、
上記装着されたＩＣカードの種類を検出するステップと、
特定種類のＩＣカードを検出したとき、上記装着部に装着された特定種類のＩＣカードが装着位置にロックするステップとを有する電子機器の制御方法。
【請求項２０】
更に、上記装着部に装着された特定種類のＩＣカードが装着位置にロックされていないことが検出されたとき、表示部に警告表示をするステップを有する請求項１９記載の電子機器の制御方法。
【請求項２１】
更に、上記装着部に装着された特定種類のＩＣカードが特定種類のＩＣカードであるとき、駆動部を駆動して、上記ロック部を、上記特定のＩＣカードを上記装着部の装着位置にロックする状態にするステップを有する請求項１９記載の電子機器の制御方法。
【発明の詳細な説明】
【０００１】
【発明の属する技術分野】
本発明は、特定種類のＩＣカードが装着されたとき、装着されたＩＣカードを装着位置にロックする電子機器及びこの電子機器の制御方法に関する。
【０００２】
【従来の技術】
ノート型のパーソナルコンピュータ、ＰＤＡ（Ｐｅｒｓｏｎａｌ　Ｄｉｇｉｔａｌ（Ｄａｔａ）　Ａｓｓｉｓｔａｎｔｓ）等の小型又は携帯型の情報処理装置には、機能拡張モジュールとなるＩＣカードが装着できるものがある。機能拡張モジュールとして用いられるＩＣカードには、フラッシュメモリ等の記憶素子を内蔵したメモリ用ＩＣカード、ＣＣＤ（Ｃｈａｒｇｅ−Ｃｏｕｐｌｅｄ　Ｄｅｖｉｃｅｓ）等の撮像素子が設けられたカメラ用ＩＣカード、他の情報処理装置と無線通信をするためアンテナ素子等を内蔵した無線通信用ＩＣカード等がある。これらＩＣカードは、同じ装着部に装着することができるように、それぞれ特有の機能を具現化した部分を除き、外形形状、大きさ、インタフェース等が統一されている。
【０００３】
メモリ用ＩＣカードは、カード本体内に記憶素子、制御回路等が内蔵されており、情報処理装置の装着部は、このメモリ用ＩＣカードと略同じ大きさに形成されている。したがって、メモリ用ＩＣカードは、情報処理装置の装着部に装着されたとき、ほぼ全体が情報処理装置に収納される。これに対して、カメラ用ＩＣカードは、被写体の撮像を行うため、装着部に装着されたとき、カメラ部分を情報処理装置より外部に臨ませる必要がある。また、無線通信用ＩＣカードも、他の情報処理装置に対してデータを発信し、また、他の情報処理装置より発信されたデータを受信する必要があることから、アンテナ素子が内蔵された部分を情報処理装置の外部に臨ませる必要がある。すなわち、カメラ用ＩＣカードや無線通信用ＩＣカードは、メモリ用ＩＣカードより大きく形成され、情報処理装置の装着部に装着されたとき、特有の機能を具現化した部分が装着部より外部に突出し外部に臨まされる。
【０００４】
【発明が解決しようとする課題】
しかしながら、カメラ用ＩＣカード、無線通信用ＩＣカード等が装着された状態で情報処理装置を使用したときには、誤操作により又は何かに引っかかって情報処理装置の装着部より外れてしまうことがある。また、カメラ用ＩＣカード、無線通信用ＩＣカード等は、メモリ用ＩＣカードに比べて撮像素子やアンテナ素子等が設けられており重いことから、装着部より外れ易くもなる。ホスト機器である情報処理装置と装着部に装着されているＩＣカードとの間でデータ通信を行っているときに、装着部に装着されているＩＣカードが外れてしまうと、通信しているデータを確実に転送することができなくなってしまう。また、不用意に装着部より外れると、ＩＣカードやＩＣカードが接続される装着部に設けられたコネクタが、故障してしまうこともある。
【０００５】
また、メモリ用ＩＣカードも、高容量化が図られており、高価なものとなってきている。メモリ用ＩＣカードも、ホスト機器である情報処理装置とデータ通信を行っているときに、装着部より外されると、通信しているデータを確実に転送することができなくなってしまう。
【０００６】
特に、ホスト機器が携帯型情報処理装置であるとき、携帯型情報処理装置は、手で把持して使用されたり、鞄の中に収納されたりと様々な状態で使用されることから、装着部に装着されているＩＣカードが不用意に装着部より外れ易い。
【０００７】
本発明は、以上のような問題点に鑑みてなされたものであり、その目的は、装着部に装着されたＩＣカードを装着位置にロックし、誤ってＩＣカードが装着部より外れてしまうことを防止することができる電子機器及び電子機器の制御方法を提供することにある。
【０００８】
また、本発明の目的は、特定のＩＣカードが装着部に装着されたことをを検出したとき、その装着された特定種類のＩＣカードを装着位置にロックし、誤ってＩＣカードが装着部より外れてしまうことを防止することができる電子機器及びこの電子機器の制御方法を提供することにある。
【０００９】
更に、本発明の目的は、ＩＣカードを装着部にロックするロック部が手動であるとき、ロックを行うようにユーザに対して警告を行い、アンロックの状態でＩＣカードが使用されることを防止する電子機器及び電子機器の制御方法を提供することにある。
【００１０】
更にまた、本発明の目的は、ＩＣカードの装着部へのロックを電動で自動的に行い、操作性の向上を図ることができる電子機器及び電子機器の制御方法を提供することにある。
【００１１】
【課題を解決するための手段】
本発明に係る電子機器は、上述した課題を解決すべく、機器本体と、機器本体の一部に設けられ、少なくとも挿入側の外形形状及び大きさを共通にする複数種類のＩＣカードが選択的に挿入される挿入口と、挿入口に連続して機器本体内に設けられ、挿入口より挿入されたＩＣカードが装着される装着部と、装着部に装着されたＩＣカードを装着位置に保持するカード保持部と、カード保持部がＩＣカードを保持している状態にロックするロック部とを備える。
【００１２】
また、本発明に係る電子機器は、上述した課題を解決すべく、機器本体と、機器本体の一部に設けられ、少なくとも挿入側の外形形状及び大きさを共通にする複数種類のＩＣカードが選択的に挿入される挿入口と、挿入口に連続して機器本体内に設けられ、挿入口より挿入されたＩＣカードが装着される装着部と、装着部に装着されたＩＣカードの種類を判別する判別部と、判別部が特定種類のＩＣカードを検出したとき、装着部に装着された特定種類のＩＣカードを装着位置にロックするロック部と、ロック部が特定のＩＣカードを装着部の装着位置にロックしているかどうかを検出する検出部と、検出部が、ロック部が特定のＩＣカードを装着部の装着位置にロックしていないことを検出したとき、警告を行う警告手段とを備える。
【００１３】
更に、本発明に係る電子機器は、上述した課題を解決すべく、機器本体と、機器本体の一部に設けられ、少なくとも挿入側の外形形状及び大きさを共通にする複数種類のＩＣカードが選択的に挿入される挿入口と、挿入口に連続して機器本体内に設けられ、挿入口より挿入されたＩＣカードが装着される装着部と、装着部に装着されたＩＣカードの種類を判別する判別部と、判別部が特定種類のＩＣカードを検出したとき、装着部に装着された特定種類のＩＣカードを装着位置にロックするロック部と、判別部が特定種類のＩＣカードを検出したとき、ロック部を、特定のＩＣカードを装着部の装着位置にロックする状態にする駆動部とを備える。
【００１４】
更にまた、本発明に係る電子機器の制御方法は、上述した課題を解決すべく、ＩＣカードが装着されたことを検出するステップと、装着されたＩＣカードの種類を検出するステップと、特定種類のＩＣカードを検出したとき、装着部に装着された特定種類のＩＣカードが装着位置にロックするステップとを有する。
【００１５】
【発明の実施の形態】
以下、本発明に係る電子機器が適用されたＰＤＡ（Ｐｅｒｓｏｎａｌ　Ｄｉｇｉｔａｌ（Ｄａｔａ）　Ａｓｓｉｓｔａｎｔｓ）について図面を参照して説明する。図１に示すように、本発明を適用したＰＤＡ１は、全体の大きさが手のひらで把持できる程度に形成されている。このＰＤＡ１は、略矩形の筐体２を有し、この筐体２の一方の主面には、表示部１４を構成するとともに、ペン型の指示装置３によって筆圧を感知し、操作入力を行うことができるタブレット４が設けられている。また、筐体２には、一方の主面のタブレット４及び表示部１４の近傍及び側面に、複数の押し釦からなる操作部５が設けられている。複数の押し釦は、主電源をオンオフする電源釦、ＩＣカード８を装着部にロックするロック釦、カーソル位置を変更するための操作釦等である。更に、筐体２の前面には、機能拡張モジュールとなるＩＣカード８が挿入される挿入口６が設けられ、更に、この挿入口６に連続してＩＣカード８の装着部７が設けられている。
【００１６】
このＰＤＡ１では、装着部７に様々な機能を有するＩＣカード８を装着することができる。例えば、装着部７にカメラ用ＩＣカード８が装着されたとき、ＰＤＡ１は、カメラ用ＩＣカードのカメラ部分で撮影した画像データを、記憶部に保存することができる。また、ＰＤＡ１は、ＧＰＳ（Ｇｌｏｂａｌ　Ｐｏｓｉｔｉｏｎｉｎｇ　Ｓｙｓｔｅｍ）用ＩＣカード８が装着されたとき、ＧＰＳ用ＩＣカードから入力された緯度経度情報を、表示部１４に表示されている地図情報に重畳し、ナビゲーション装置として使用することもできる。また、ＰＤＡ１は、無線通信用のＩＣカード８が装着部７に装着されたとき、他の通信機器と無線通信を行い、データのやり取りを行うことができる。
【００１７】
次に、このＰＤＡ１の回路構成について説明すると、図２に示すようにこのＰＤＡ１は、通常のコンピュータとほぼ同様な構成を有しており、制御プログラムが格納されたＲＯＭ（Ｒｅａｄ　Ｏｎｌｙ　Ｍｅｍｏｒｙ）１１と、プログラムや処理データがロードされるＲＡＭ（Ｒａｎｄｏｍ　Ａｃｃｅｓｓ　Ｍｅｍｏｒｙ）１２と、データを保存する記憶部１３と、処理情報等を表示する表示部１４と、ペン型の指示装置３によって筆圧を感知し、操作入力を行うタブレット４と、複数の押し釦から構成される操作部５と、楽曲データ等の音声データの記録再生処理を行う記録再生処理部１５と、再生処理された音声データを放音するスピーカ１６と、音声データ等が入力される入力部１７と、ＩＣカード８が装着されるＩＣカードインタフェース（以下単にＩＣカードＩ／Ｆという。）１８と、全体の動作を制御する制御部１９とを備え、これらがバス２０を介して接続されている。
【００１８】
ＲＯＭ１１は、ＢＩＯＳ（Ｂａｓｉｃ　Ｉｎｐｕｔ　Ｏｕｔｐｕｔ　Ｓｙｓｔｅｍ）、オペレーティングシステム等の制御プログラム等が保存されている。このＲＯＭ１１は、例えばフラッシュメモリ、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）等の書換可能な記憶素子で構成され、格納されている制御プログラムをアップデートできるように設けられている。記憶部１３は、例えばフラッシュメモリ、ＥＥＰＲＯＭ、ハードディスク等の書換可能な記憶素子で構成され、入力部１７やＩＣカードＩ／Ｆ１８から入力されたデータを保存する。表示部１４は、ＬＣＤ（Ｌｉｑｕｉｄ　Ｃｒｙｓｔａｌ　Ｄｉｓｐｌａｙ）等で構成されている。
【００１９】
記録再生処理部１５は、入力部１７やＩＣカードＩ／Ｆ１８より入力されたデータに対して、記憶部１３に保存する際の記録処理を施すと共に、記憶部１３に保存されているデータを再生する際の再生処理を施す。例えば、記録再生処理部１５は、入力部１７やＩＣカードＩ／Ｆ１８より楽曲データが入力されたとき、ＡＴＲＡＣ３（Ａｄａｐｔｉｖｅ　Ｔｒａｎｓｆｏｒｍ　Ａｃｏｕｓｔｉｃ　Ｃｏｄｉｎｇ　３：商標）、ＭＰＥＧ−２ＡＡＣ（Ｍｏｔｉｏｎ　Ｐｉｃｔｕｒｅ　Ｅｘｐｅｒｔ　Ｇｒｏｕｐ　２　Ａｄｖａｎｃｅｄ　Ａｕｄｉｏ　Ｃｏｄｉｎｇ：商標）、ＭＰ３（ＭＰＥＧ−１　Ａｕｄｉｏ　Ｌａｙｅｒ３：商標）、ＴｗｉｎＶＱ（Ｔｒａｎｓｆｏｒｍ−Ｄｏｍａｉｎ　Ｗｅｉｇｈｔｅｄ　Ｉｎｔｅｒｌｅａｖｅ　Ｖｅｃｔｏｒ　Ｑｕａｎｔｉｚａｔｉｏｎ：商標）、ＭＳ　Ａｕｄｉｏ（ＷＭＡ：Ｗｉｎｄｏｗｓ　Ｍｅｄｉａ　Ａｕｄｉｏ：商標）、Ｏｇｇ　Ｖｏｒｂｉｓ（商標）等の方式でエンコードし、エンコードした楽曲データを記憶部１３に保存できるようにする。また、記録再生処理部１５は、記録部１３に保存されている楽曲データを再生するとき、記憶部１３より読み出した上述した方式でエンコードされているデータをデコードし、更にディジタルデータをアナログデータに変換してスピーカ１６に出力する。スピーカ１６は、アナログデータに変換された楽曲データを、再生音に変換して放音する。なお、音声データの出力手段としては、スピーカ１６の他に、イヤホンやヘッドホンであってもよい。
【００２０】
入力部１７は、例えば筐体２の側面等に設けられた入力端子を有し、有線又は無線で接続された外部機器からディジタル又はアナログのデータが入力され、入力されたデータを記録再生処理部１５に出力する。
【００２１】
ＩＣカードＩ／Ｆ１８は、シリアル／パラレル・パラレル／シリアルインタフェース（以下、Ｓ／Ｐ・Ｐ／Ｓインタフェースという。）を有し、ＩＣカード８とデータ通信を行う。このＩＣカードＩ／Ｆ１８には、ＰＤＡ１の機能を拡張するために種々の機能を有するＩＣカード８が接続される。具体的に、ＩＣカードインタフェース１８には、メモリ用ＩＣカード、カメラ用ＩＣカード、無線通信用ＩＣカード等がシリアルインタフェース又はパラレルインタフェースで接続される。ＩＣカードＩ／Ｆ１８は、カメラ用ＩＣカードが接続されたとき、カメラ用ＩＣカードで撮影された画像データが入力され、入力された楽曲データを記憶部１３に保存する。また、ＩＣカードＩ／Ｆ１８は、メモリ用ＩＣカードが接続されたとき、メモリ用ＩＣカードがＰＤＡ１の外部記憶装置として機能し、記憶部１３に保存されているデータをメモリ用ＩＣカード８に保存し、また、メモリ用ＩＣカードに保存されているデータを読み出し、表示部１４やスピーカ１６より出力する。更に、ＩＣカードＩ／Ｆ１８は、無線通信用ＩＣカードが接続されたとき、ブルートゥース（Ｂｌｕｅｔｏｏｔｈ）、赤外線を用いるＩｒＤＡ（Ｉｎｆｒａｒｅｄ　Ｄａｔａ　Ａｓｓｏｃｉａｔｉｏｎ）、ＩＥＥＥ８０２．１１ａ／ｂ等の方式で外部機器とデータ通信を行うことができるようにする。更に、ＧＰＳ用ＩＣカードが接続されたとき、ＩＣカードＩ／Ｆ１８は、ＧＰＳ衛星との距離を割り出してＰＤＡ１の絶対位置情報を算出することができるようにする。
【００２２】
制御部１９は、ＣＰＵ（Ｃｅｎｔｒａｌ　Ｐｒｏｃｅｓｓｉｎｇ　Ｕｎｉｔ）等で構成され、ＰＤＡ１の全体の動作を制御する。制御部１９は、ＲＯＭ１１に格納されているプログラムに基づいて、演算処理を行い、例えば、ＩＣカードＩ／Ｆ１８にＩＣカード８が接続されたとき、ＩＣカード１８の種類を検出し、ＩＣカードの種類に応じたデータ通信を行う。
【００２３】
ここで、筐体２の挿入口６より挿入されて装着部７に装着されるＩＣカード８について図３を参照して説明する。ここで説明するＩＣカード８は、ＧＰＳ用ＩＣカードであり、合成樹脂をモールド成型した筐体を構成する略矩形板状のカード型接続部２１を有する。このカード型接続部２１には、制御回路等が構成された一又は複数の半導体素子が実装されたプリント配線基板が内蔵されている。カード型接続部２１の前面側の一方のコーナ部には、ＰＤＡ１の挿入口６への挿入方向を容易に判別することができるようにするため面取り部２２が設けられ、また、この面取り部２２が設けられたコーナ部の裏面には、窪み部２２ａが設けられている。面取り部２２や窪み部２２ａは、ＩＣカード８をＰＤＡ１の装着部７に装着する際の装着位置規制部となる。また、カード型接続部２１の面取り部２２ａが設けられた側の側面には、底面側が開放された脱落防止用凹部２３が設けられている。この脱落防止用凹部２３には、後述するコネクタ４１のイジェクト部材４５に設けられた弾性片からなるカード保持片４９の係合突部４９ａが係合される。
【００２４】
カード型接続部２１の一方の短辺側、すなわち前面側の下面には、ＰＤＡ１の挿入口６への挿入端となる前面から底面に亘るように、複数の接点２６からなる端子部２４が形成されている。端子部２４は、各接点が仕切壁で区画されており、仕切壁で区画された係合凹部２５の底面に接点２６が設けられている。各係合凹部２５は、接点２６が底面に設けられることで、各接点２６を保護している。また、各係合凹部２５は、カード型接続部２１の前面側及び底面側が開放され、ＰＤＡ１の装着部７側の接続端子が進入し、各接続端子が各接点２６に圧接されることで、電気的に接続される。
【００２５】
なお、接点２６は、例えば１０本設けられ、少なくともシリアルプロトコルバスステート信号ＢＳ用の接点、シリアルクロックＳＣＬＫ用の接点、シリアル又はパラレル通信を行うための一又は複数のデータ用の接点、ＩＣカード８が装着部７に装着されたことを検出するための挿入検出用の接点、ＩＣカード８に対して電源供給をするための電源供給用の接点等を有する。
【００２６】
以上のように構成されているカード型接続部２１は、ＰＤＡ１の装着部７に収納される部分であり、ＩＣカードの機能を問わず、大きさや外形形状が同じ部分である。このカード型接続部２１の背面側には、ＧＰＳ本体部２７を介してアンテナ部２８が設けられている。ＧＰＳ本体部２７とアンテナ部２８とは、ＩＣカード８がＰＤＡ１の装着部７に装着されたとき、ＧＰＳ信号を受信するため外部に臨まされる。また、ＧＰＳ本体部２７には、アンテナ部２８がヒンジ部２９を介して取り付けられいる。アンテナ部２８は、ヒンジ部２９を介して取り付けられることで、ＧＰＳ衛星を検出し易いように角度調整を行い易いようになっている。
【００２７】
このように構成されたＧＰＳ用ＩＣカード８の回路構成について図４を参照して説明する。このＧＰＳ用ＩＣカード８は、ＧＰＳ衛星を検出するためのアンテナ３１と、アンテナ３１で受信した信号に対して受信処理を施すＧＰＳ信号処理部３２と、ＧＰＳ信号より測位演算する測位演算処理部３３とを備えることにより、ＧＰＳ機能を実現している。アンテナ３１は、例えば上記アンテナ部２８に設けられ、ＧＰＳ信号処理部３２と測位演算処理部３３とは、ＧＰＳ本体部２７に設けられている。
【００２８】
また、ＧＰＳ用ＩＣカード８は、ホスト機器となるＰＤＡ１とデータ通信を行うため、ＰＤＡ１との間でデータのやり取りをするためのシリアル／パラレル・パラレル／シリアルインタフェース（以下、Ｓ／Ｐ・Ｐ／Ｓインタフェースという。）３４と、データの書き込み又は読み出しのための各種パラメータを有するレジスタ３５と、データを一時的に記憶するページバッファ３６と、データの書き込み又は読み出しを制御する制御部３７とを備え、これらは、他の機能のＩＣカード８と共通部分となるカード型接続部２１に設けられている。
【００２９】
ＧＰＳ信号処理部３２は、複数のＧＰＳ衛星からアンテナ３１が受信した各ＧＰＳ信号の周波数変換を行った後、各ＧＰＳ信号を測位演算制御部３３に出力する。測位演算制御部３３は、受信したＧＰＳ信号よりＩＣカード８の位置を検出する。具体的には、アンテナ３１は、複数のＧＰＳ衛星からの高精度な時間信号を含んだ電波を受信し、ＧＰＳ信号処理部３２は、アンテナ３１で受信された受信信号に復調等の処理を施して時間信号を再生し、この時間信号を測位演算制御部３３に供給する。
【００３０】
測位演算制御部３３は、時間信号に基づいて各ＧＰＳ衛星までの距離を割り出し、それらの距離を半径として各ＧＰＳ衛星の絶対位置からの球面の交点として求められるＩＣカード８の緯度及び経度を検出する。そして、測位演算制御部３３は、このＩＣカード８の緯度経度情報を、制御部３７に出力する。
【００３１】
レジスタ３５は、データの書き込み又は読み出しのための各種パラメータを格納しており、例えば、ＧＰＳ用ＩＣカードを示す識別データが格納されている。この識別データは、ＩＣカード８がＰＤＡ１の装着部７に装着されたとき、最初に読み出され、ＰＤＡ１が装着部７に装着されたＩＣカードがＧＰＳ用であることを認識することができるようにする。
【００３２】
制御部３７は、ＩＣカード８がＰＤＡ１の装着部７に装着されると、Ｓ／Ｐ・Ｐ／Ｓインタフェース３４を介して緯度経度情報をＰＤＡ１に送信する。そして、緯度経度情報を受信したＰＤＡ１は、表示部１４にＩＣカード８の現在位置を表示する。
【００３３】
ＧＰＳ用ＩＣカード８は、ＰＤＡ１からの要求に応じて、シリアルプロトコルバスステート信号ＢＳとシリアルクロックＳＣＬＫに従って、先ず、レジスタ３５の識別データをＰＤＡ１に出力する。ＰＤＡ１は、ＩＣカード８から読み出した識別データにより、装着部７に装着されたＩＣカードがＧＰＳ用であると検出すると、ＧＰＳ用モードとなり、緯度経度情報等を受信する。
【００３４】
以上のようなＧＰＳ用ＩＣカード８では、カード型接続部２１が、装着部７に汎用性を持たせるため、他の種類のＩＣカードと同様な大きさ、形状等に形成されており、ＧＰＳ信号処理部３２と測位演算処理部３３とが組み込まれたＧＰＳ本体部２７とアンテナ３１が組み込まれたアンテナ部２８とでＧＰＳ機能を実現している。すなわち、他の機能の有するＩＣカードでは、ＧＰＳ本体部２７とアンテナ部２８とからなる機能実現部それぞれ実現する機能に応じて変更されている。例えば、カメラ用ＩＣカードでは、ＧＰＳ本体部２７とアンテナ３１とがカメラ機能を実現する部分となっている。すなわち、ＧＰＳ本体部２７とアンテナ３１の部分は、ＣＣＤ等の撮像素子、アナログ信号をディジタル信号に変換するアナログ／ディジタル変換器、色コーディングに対応した信号処理をし、ＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ）、ＧＩＦ（Ｇｒａｐｈｉｃｓ　Ｉｎｔｅｒｃｈａｎｇｅ　Ｆｏｒｍａｔ）、ＴＩＦ（Ｔａｇｇｅｄ　Ｉｍａｇｅ　Ｆｉｌｅ　Ｆｏｒｍａｔ）等の方式でエンコードする信号処理部等が設けられる。そして、カメラ用のＩＣカードでは、カメラ機能を実現する部分がＰＤＡ１の装着部７に装着されたとき、筐体２より外部に臨む部分となる。また、カメラ用ＩＣカードでは、レジスタ３５にカメラ用のＩＣカードであることを示す識別データが格納されている。
【００３５】
また、無線通信用のＩＣカードでは、ＧＰＳ用ＩＣカードにけるＧＰＳ本体部２７とアンテナ部２８とが、他の外部機器とデータ通信を行うためのアンテナ、通信処理等を行うための通信回路となり、少なくともアンテナ部分がＰＤＡ１の装着部７より外部に臨む部分となる。そして、レジスタ３５には、無線通信用のＩＣカードであることを示す識別データが格納されている。更に、メモリ用のＩＣカードは、上述したＧＰＳ用ＩＣカードのカート型接続部２１と略同じ大きさに形成され、ほぼ全体がＰＤＡ１に収納される。メモリ用ＩＣカードでは、全体がカード型接続部２１とほぼ同じ大きさの形状をなすカード本体を有し、カード本体内、記憶素子となるフラッシュメモリが配設される。メモリ用ＩＣカードでは、レジスタ３５に、メモリ用ＩＣカードであることを示す識別データが格納されている。
【００３６】
ここで、以上のような種々のＩＣカード８が装着されるＩＣカード８が装着される装着部７に設けられるコネクタ４１について説明する。このＩＣカード８が装着されるコネクタ４１は、図５及び図６に示すように、ＩＣカード８の装着部７の一部を構成するベース４２と、このベース４２上に取り付けられるカバー４３と、ＩＣカード８の挿入口を閉塞する蓋体４４と、ＩＣカード８のイジェクト部材４５とを備える。
【００３７】
ベース４２は、ＩＣカード８の装着部７を構成するものであり、背面側には、ＩＣカード８の前面側に設けられた端子部２４に係合する接続端子４７が端子部２４の接点２６の数に対応して、具体的には１０本設けられている。各接続端子４７は、導電性の弾性片で形成されており、ＩＣカード８が装着部７に装着されたとき、端子部２４の各係合凹部２５に係合し、接点２６に弾接されつつＩＣカード８を装着位置に保持する。
【００３８】
このようなベース４２に取り付けられるカバー４３は、板金等を折曲して形成されるものであって、ベース４２とでＩＣカード８を収納する収納部５１を構成する。カバー４３は、ベース４２とで接続端子４７が設けられた側とは反対側にＩＣカード８のカード挿入口４８が設けられる。
【００３９】
このカバー４３には、その中程に、ＩＣカード８の収納部５１内、特に接続端子４７の近傍に塵埃等の異物が侵入することを防止するための蓋体４４が取り付けられている。この蓋体４４は、収納部５１を閉塞する蓋部５２と、蓋部５２をＩＣカード８の前面側に押圧されて回動させるための回動軸５３とが一体的に形成されてなる。一方、カバー４３には、回動軸５３が挿通される回動保持部５４が設けられている。そして、蓋部５２は、回動軸５３を、回動保持部５４に挿通されることで、収納部５１内に蓋部５２が位置するように取り付けられる。
【００４０】
この蓋体４４は、回動軸５３に付勢部材となる捻りコイルバネ５５のコイル部が巻装され、捻りコイルバネ５５の一方のアーム部がカバー４３の係止部５５ａに係止され、他方のアーム部が蓋部５２に係止されることによって、収納部５１を閉塞する図５中矢印Ｄ１方向に付勢されている。蓋体４４は、ＩＣカード８が挿入されていないとき、捻りコイルバネ５５の付勢力により、収納部５１を閉塞した状態にあり、内部に異物が侵入することを防止しており、ＩＣカード８がカード挿入口４８より挿入されると、図６に示すように、ＩＣカード８の前面で押圧され、捻りコイルバネ５５の付勢力に抗して図６中反矢印Ｄ１方向に回動し、端子部２４と接続端子４７とが係合できる状態とする。すなわち、蓋部５２は、ＩＣカード８が挿入されたとき、カバー４３と略平行な状態となるまで回動保持部５４に回動支持された回動軸５３を中心にして回動する。
【００４１】
更に、ベース４２とカバー４３とで構成される収納部５１のＩＣカード８の挿脱方向と平行な一方の側には、図５に示すように、ＩＣカード８を収納部５１より排出するためのイジェクト部材４５が配設されている。このイジェクト部材４５は、全体が略Ｌ字状に形成され、長辺の移動ガイド部５６と短辺の規制部５７とから構成されている。イジェクト部材４５は、ＩＣカード８の挿脱方向である図５及び図６中矢印Ｄ２方向及び反矢印Ｄ２方向に移動するものであり、移動ガイド部５６は、ベース４２のＩＣカード８の移動方向に沿って突出して形成されガイド突部５８ａに係合するガイド溝５９ａが形成されている。なお、規制部５７にも、ベース４２のＩＣカード８の移動方向に沿って突出して形成されガイド突部５８ｂに係合するガイド溝５９ｂが形成されている。
【００４２】
規制部５７は、ＩＣカード８の挿入方向と略直交するように位置され、ＩＣカード８の前面の突き当て面側に、ＩＣカード８の面取り部２２及び窪み部２２ａに係合する位置決め部６０が設けられている。すなわち、イジェクト部材４５は、移動ガイド部５６のＩＣカード８の側面と対向する面と規制部５７の位置決め部６０とでＩＣカード８の位置決めを行い、ＩＣカード８が押圧されることで、ガイド突部５８ａ，５８ｂ及びガイド溝５９ａ，５９ｂにガイドされながら挿入方向である図５及び図６中反矢印Ｄ２方向に移動する。また、規制部５７とベース４２の背面壁４２ａとの間には、イジェクト部材４５をＩＣカード８のイジェクト方向の図５及び図６中矢印Ｄ２方向に付勢する付勢部材となる圧縮コイルバネ６１が配設されている。この圧縮コイルバネ６１は、規制部５７の凹部６２に一方が係合され、位置規制がされている。
【００４３】
また、移動ガイド部５６には、ＩＣカード８の側面と対向する内面に、挿入されたＩＣカード８を保持するカード保持片４９が設けられている。このカード保持片４９は、板バネ等の弾性片で形成され、先端部に、ＩＣカード８のカード型接続部２１の脱落防止用凹部２３に係合する係合突部４９ａが形成されている。また、この係合突部４９ａの反対側は、係合凹部４９ｂが形成されており、この係合凹部４９ｂには、後述するロック機構７１のロック部８１が係合される。このカード保持片４９は、基端部が移動ガイド部５６のＩＣカード８の側面と対向する内面に固定され、係合突部４９ａが設けられた先端部が内方側に位置される。そして、カード保持片４９ａは、ＩＣカード８の側面に押圧されることで、外側に変位し、ＩＣカード８の脱落防止用凹部２３に係合することで弾性復帰し、ＩＣカード８を保持する。ＩＣカード８は、ＩＣカード８の前面に設けられた端子部２４の係合凹部２５に接続端子４７が係合するとともに脱落防止用凹部２３にカード保持片４９の係合突部４９ａが係合することで保持される。
【００４４】
ベース４２の一方の側壁４２ｂには、図７乃至図８に示すように、突起６３が内方に向かって突設され、この突起６３に制御バネ６４が取り付けられている。この制御バネ６４は、捻りコイルバネよりなり、コイル部６４ａが突起６３に巻装され、一端６４ｂがカバー４３に係止され、他端６４ｃ側をベース４２側の図８中矢印Ｄ３方向に付勢している。制御バネ６４の他端６４ｃは、略９０°内方に折曲され、係合部６５が形成されている。この係合部６５は、イジェクト部材４５の移動ガイド部５６に一体的に設けられた係止突部６６に係止される。
【００４５】
この係止突部６６は、略２等辺三角形をなすように形成され、頂部６７がベース４２の側壁４２ｂの突起６３に巻装された制御バネ６４の係合部６５側で、制御バネ６４の係合部６５のやや下側に位置するように、イジェクト部材４５の移動ガイド部５６のベース４２の側壁４２ｂ側の面に一体的に設けられている。係止突部６６のカバー４３の面には、制御バネ６４の係合部６５を押し上げる傾斜面よりなるカム部６８が形成されている。このカム部６８は、頂部６７側からカバー４３側に傾斜して形成されている。また、係止突部６６の頂部６７と対向する側には、制御バネ６４の係合部６５が係合される係合凹部６９が形成されている。
【００４６】
以上のようなコネクタ４１は、ＩＣカード８が挿入されていないとき、図７及び図８に示すように、制御バネ６４の係合部６５が係止突部６６の係合凹部６９に係合していない状態にあり、従って、イジェクト部材４５は、圧縮コイルバネ６１の付勢力により図７及び図８中矢印Ｄ３方向に付勢され、ＩＣカード８の挿脱が可能な挿脱位置にある。
【００４７】
イジェクト部材４５がこの挿脱位置にあるときにＩＣカード８が端子部２４を挿入端として収納部５１内に挿入されると、図６に示すように、ＩＣカード８の前面は、イジェクト部材４５の規制部５７と位置決め部６０とでＩＣカード８の位置決めされる。また、イジェクト部材４５に設けられたカード保持片４９は、ＩＣカード８の側面に押圧されることで、外側に変位し、ＩＣカード８の脱落防止用凹部２３に係合することで弾性復帰し、ＩＣカード８を保持する。そして、ＩＣカード８が更に押圧されることで、圧縮コイルバネ６１の付勢力に抗してガイド突部５８ａ，５８ｂ及びガイド溝５９ａ，５９ｂにガイドされながら図７及び図８中反矢印Ｄ２方向に移動する。
【００４８】
すると、制御バネ６４の係合部６５は、図８及び図９中矢印Ｄ３方向の付勢力に抗してイジェクト部材４５の移動ガイド部５６に一体的に設けられた係止突部６６のカム部６８に沿って頂部６７側から係合凹部６９側に移動する。そして、カム部６８が終了した時点で、制御バネ６４の係合部６５は、図９に示すように、付勢力によって係止突部６６の係合凹部６９に係合する。これにより、イジェクト部材４５は、ＩＣカード８の端子部２４を構成する接点２６と接続端子４７との接続を図る装着位置に保持される。そして、ベース４２に設けられた接続端子４７は、ＩＣカード８の端子部２４係合凹部２５に係合し、接点２６に弾接されることにより、電気的接続が図られる。そして、ＩＣカード８は、脱落防止用凹部２３に係合したカード保持片４９と端子部２４の係合凹部２５に係合した接続端子４７により装着位置に保持される。
【００４９】
なお、この状態で、メモリ用のＩＣカードは、ほぼ全体が装着部７に収納され、背面側の一部がイジェクトする際、押圧できるように外方に臨まされる。また、ＧＰＳ用のＩＣカード８は、図１０に示すように、ＧＰＳ本体部２７とアンテナ部２８とが装着部７より外部に臨まされ、また、無線通信用のＩＣカードもアンテナ部が外部に臨まされる。更に、カメラ用のＩＣカードは、カメラ部分が装着部７より外部に臨まされる。
【００５０】
ＩＣカード８をイジェクトするときＩＣカード８の背面側の一部を押圧すると、イジェクト部材４５は、圧縮コイルバネ６１の付勢力に抗して図９中反矢印Ｄ２方向に移動する。すると、制御バネ６４の係合部６５は、図９中矢印Ｄ３方向の付勢力により係止突部６６の係合凹部６９と係合した状態が解除され、そして、付勢力により係合突部６６のベース４２側に移動する。制御バネ６４の係合部６５と係止突部６６の係合凹部６９との係合状態が解除されたことで、イジェクト部材４５は、圧縮コイルバネ６１の付勢力により、端子部２４と接続端子４７とを離間させる図１０中矢印Ｄ２方向に移動し、ＩＣカード８の挿脱を行う第１の位置に戻る。この後、ＩＣカード８は、装着部７より引き出される。
【００５１】
以上のようなコネクタ４１ではＩＣカード８を取り出すとき、ＩＣカード８の背面側を押圧操作するだけでよいことから、ＩＣカード８のイジェクト操作を容易に行うことができる。すなわち、コネクタ４１は、挿入口６に挿入されたＩＣカード８の背面側を１度押圧操作することで、ＩＣカード８を装着部７に装着させることができ、２度目の押圧操作で、装着位置のＩＣカード８をイジェクトするといった簡単な操作でＩＣカード８の挿脱を行うことができる。
【００５２】
なお、以上の例では、ユーザがＩＣカード８を押圧操作することによって、装着部７に装着されたＩＣカード８をイジェクトできるイジェクト機構を説明したが、このイジェクト機構としては、ユーザによって操作されるイジェクト操作部材を設け、ユーザの操作力によって装着部７に装着されたＩＣカード８をイジェクトすることができるようにしてもよい。
【００５３】
ところで、このＰＤＡ１の装着部７には、装着部７に装着されたＩＣカード８が誤操作により又は何かに引っかかって情報処理装置の装着部７より外れてしまうことがある。また、ＰＤＡ１は、携帯型電子機器であるから、ＩＣカード８が装着部７に装着されている状態で鞄の中に収納されたりと様々な状態で使用されることから、装着部７に装着されているＩＣカード８が不用意に装着部７より外れ易い。ＩＣカード８が不用意に装着部７より外れてしまうと、ＩＣカード８とＰＤＡ１との間で行うデータ通信を確実に行うことができなくなってしまう。また、強制的に装着部７より外れると、ＩＣカード８やコネクタ４１が、故障してしまうこともある。そこで、ＰＤＡ１には、不用意にＩＣカード８が装着部７より外れてしまうことを防止するロック機構７１が設けられている。
【００５４】
そこで、図１１に示すように、ＰＤＡ１の筐体２内には、装着部７に装着されたＩＣカード８を装着位置にロックするロック機構７１と、ロック機構７１がＩＣカード８のロック状態にあることを検出する検出部７２と、ロック機構７１を切換操作する切換操作部７３とが設けられている。
【００５５】
ここで、図１２及び図１３を参照して、ＩＣカード８を装着部７にロックするロック機構７１を説明する。このロック機構７１は、コネクタ４１のイジェクト部材４５に設けられたカード保持片４９をロックするロック部材７６と、ロック部材７９をロックを解除する方向に付勢する付勢部材となる圧縮コイルバネ７７と、ロック部材７６をロック位置とロック解除位置に位置決めする位置決め部材７８とを備える。
【００５６】
ロック部材７６は、先端部に、コネクタ４１のイジェクト部材４５に設けられたカード保持片４９の係合凹部４９ｂに係合するロック部８１が設けられている。ロック部８１は、ベース４２の側壁４２ｂに設けられた挿通孔７９及びイジェクト部材４５の移動ガイド部５６に設けられた挿通孔８０を介してコネクタ４１の収納部５１内に進入し、カード保持片４９の係合凹部４９ｂに係合する。すなわち、図１２に示すように、ＩＣカード８が装着部７に装着されていないとき、カード保持片４９の係合突部４９ａは、イジェクト部材４５の移動ガイド部５６に固定された基端部を支点として、収納部５１側に突出する図１２中矢印Ｄ４方向に付勢された状態にある。ＩＣカードが装着部７に装着され、装着位置に移動されると、図１３に示すように、カード保持片４９の係合突部４９ａは、カード型接続部２１の脱落防止用凹部２３に係合する。このとき、ロック部８１は、ベース４２の側壁４２ｂに設けられた挿通孔７９及びイジェクト部材４５の移動ガイド部５６に設けられた挿通孔８０を介してコネクタ４１の収納部５１内に進入し、カード保持片４９の係合凹部４９ｂに係合し、カード保持片４９の先端部を、脱落防止用凹部２３の方向に押圧し、ＩＣカード８を装着位置にロックする。
【００５７】
なお、ロック部８１がカード保持片４９を押圧する位置は、カード保持片４９の先端部に設けられた係合突部４９ａの裏側の係合凹部４９に限定されるものではなく、係合凹部４９ｂが設けられた側の面の基端側を押圧するようにしてもよい。
【００５８】
ロック部材７６には、中程に、フランジ状のバネ係止部８２が設けられている。圧縮コイルバネ７７は、一端がベース４２の側壁４２ｂの外面に係止され、他端がバネ係止部８２に係止され、ロック部材７６全体をロック部８１がカード保持片４９のロックを解除する方向となる図１２中矢印Ｄ５方向に付勢している。
【００５９】
更に、ロック部材７６には、ロック部材７６の位置をロック位置とロック解除位置とに切り換えるための切換片８３が設けられ、この切換片８３の先端部には、球体８４が回転自在に取り付けられている。この切換片８３の先端部に設けられた球体８４は、位置決め部材７８の仕切部８７を乗り越えることができるように、バネ部材等の弾性体により切換片８３の先端部から出没するように設けられている。切換片８３に対向して筐体２側に設けられた位置決め部材７８に係合される。すなわち、位置決め部材７８は、ロック部材７６の移動方向と平行な側面に、ロック位置用凹部８５とロック解除位置用凹部８６とが並んで設けられて、これら凹部８５，８６の間に仕切部８７が設けられている。ロック位置用凹部８５は、コネクタ４１に近い側に設けられ、ロック解除位置用凹部８６は、コネクタ４１から遠い側に設けられている。ロック部材７６は、上述のように圧縮コイルバネ７７によりロックを解除する図１２中矢印Ｄ５方向に付勢されており、球体８４は、位置決め部材７８のロック解除位置用凹部８６に係合されている。そして、ロック部材７６は、圧縮コイルバネ８４の付勢力に抗してロック位置に移動したとき、球体８４は、仕切部８７を乗り越え、位置決め部材７８のロック位置用凹部８５に係合し、ロック部８１をカード保持片４９をロックするロック位置に保持する。
【００６０】
更に、ロック部材７６には、基端側に、検出部７２を操作する操作片８８が設けられている。この操作片８８により検出部７２は、例えば押圧型の検出スイッチであり、筐体２側に取り付けられている。操作片８８は、ロック部材７６がロック位置に移動されたとき、検出部７２を押圧する。検出部７２は、操作片８８により被押圧子が押圧されたとき、ロック部材７６がロック位置に移動したことを検出し、その検出信号を制御部１９に出力する。
【００６１】
この操作片８８は、切換操作部７３が取り付けられる被取付片ともなり、操作片８８に設けられる切換操作部７３は、例えば筐体２の側面に設けられた操作用開口部８９から外部に臨まされ、ユーザによって押圧操作される。
【００６２】
次に、以上のように構成されたロック機構７１の動作について説明する。先ず、ＩＣカード８が装着部７に装着されていないとき、図５に示すように、コネクタ４１は、イジェクト部材４５が圧縮コイルバネ６１の付勢力により図１２中矢印Ｄ２方向に付勢されＩＣカードの挿脱位置にある。このとき、図１２に示すように、イジェクト部材４５に設けられたカード保持片４９は、基端部を支点として、図１２中矢印Ｄ４方向に付勢され、先端部の係合突部４９ａが収納部５１の内方に突出した状態にある。また、ロック部材７６は、圧縮コイルバネ７７の付勢力によって、図１２中矢印Ｄ５方向に付勢され、先端部のロック部８１が、イジェクト部材４５の挿通孔７９よりコネクタ４１の外側に待避した状態にある。すなわち、イジェクト部材４５は、ＩＣカード８の装着位置へ移動可能な状態にある（図１２中反矢印Ｄ２方向）。そして、切換片８３に設けられた球体８４は、位置決め部材７８のロック解除位置用凹部８６に係合し、ロック部材７６をロック解除位置に保持している。したがって、切換操作部７３は、筐体２の側面より突出し、ユーザが押圧操作可能な状態にある。この状態では、イジェクト部材５４の挿入口８０とベース４２の側壁４２ｂに設けられた挿通孔７９とは、位置がずれており、ロック部８１は、イジェクト部材４５の移動ガイド部５６に突き当たり、ロック部材７６は、図１２中反矢印Ｄ５方向に移動不能な状態となっている。すなわち、ユーザは、切換操作部７３を押圧操作することができない状態になっている。更に、操作片８８は、検出部７２の被押圧子から離間しオフの状態にある。
【００６３】
そして、図６に示すように、ＩＣカード８が挿入口６より装着部７に挿入され、イジェクト部材４５に設けられたカード保持片４９の係合突部４９ａが係合し、更に、ＩＣカード８が押圧されると、装着位置まで移動されると、ＩＣカード８の端子部２４を構成する接点２６と接続端子４７とが電気的に接続される。この状態において、イジェクト部材５４の挿入口８０の位置とベース４２の側壁４２ｂに設けられた挿通孔７９の位置とは、一致し、ロック部材７６が移動可能な状態になる。更に、挿通孔７９，８０の位置は、イジェクト部材４５に設けられＩＣカード８の脱落防止用凹部２３に係合しているカード保持片４９の先端部の係合凹部４９ｂの位置と一致する。
【００６４】
ユーザが筐体２の側面より突出している切換操作部７３を押圧操作すると、ロック部材７６は、圧縮コイルバネ７７の付勢力に抗して図１３中反矢印Ｄ５方向に移動される。すると、切換片８３に設けられた球体８４は、仕切部８７を乗り越え、位置決め部材７８のロック位置用凹部８５に係合し、ロック部８１をカード保持片４９をロックするロック位置に保持する。ロック部材７６がロック位置に保持されることにより、ロック部材７６の先端部に設けられたロック部８１は、イジェクト部材５４の挿入口８０とベース４２の側壁４２ｂに設けられた挿通孔７９を介してコネクタ４１の収納部５１内に進入する。そして、ロック部８１は、イジェクト部材４５に設けられたカード保持片４９の係合凹部４９ｂに係合し、カード保持片４９を図１３中矢印Ｄ４方向に押圧する。カード保持片４９は、ロック部８１により脱落防止用凹部２３の方向に押圧されることで、係合凹部４９ｂの反対側に設けられた係合突部４９ａをカード型接続部２１の脱落防止用凹部２３に確実に係合しロックする。
【００６５】
ロック位置に移動されたロック部材７６は、操作片８８で検出部７２の被押圧子を押圧し、検出部７２は、ロック部材７６がロック位置に移動したことを検出し、検出信号を制御部１９に出力する。制御部１９は、例えば、検出部７２から検出信号が入力されると、装着部７に装着されたＩＣカード８とのデータ通信を開始する。また、制御部１９は、ＩＣカード８が装着部７に装着された状態で検出部７２から検出信号が入力されないとき、表示部１４等にロックを促す警告表示を行う。
【００６６】
なお、ロックを解除する場合、切換操作部７３が図１３中矢印Ｄ５方向に操作されると、切換片８３に設けられた球体８４は、仕切部８７を乗り越え、位置決め部材７８のロック位置用凹部８５からロック解除位置用凹部８６に係合し、ロック解除位置を保持する。この移動によって、検出部７２は、操作片８８による押圧が解除されオフとなる。これによって、制御部１９は、ロック部材７６がロック解除位置に移動したことを検出し、例えば表示部１４に、ＩＣカード８のイジェクトが可能な状態になって旨の表示を行う。
【００６７】
以上のように構成されたロック機構７１では、ＩＣカード８が装着部７の装着位置に移動されたとき、脱落防止用凹部２３を保持しているカード保持片４９をロックするようにしている。したがって、装着部７に装着されているＩＣカード８が不用意に装着部７より外れてしまうことを防止することができる。
【００６８】
ところで、このＰＤＡ１の装着部７には、上述のように、メモリ用ＩＣカードの他、図１０に示すように、ＧＰＳ用ＩＣカード、無線通信用ＩＣカード、カメラ用ＩＣカードが装着される。ＧＰＳ用、無線通信用、カメラ用等のＩＣカードは、その機能を実現した部分がＰＤＡ１の筐体２に設けられた挿入口６より外部に突出する。このため、装着部７に装着されているＩＣカード８は、誤操作により又は何かに引っかかって情報処理装置の装着部７より外れてしまうことがある。また、ＰＤＡ１は、携帯型電子機器であるから、ＩＣカード８が装着部７に装着されている状態で鞄の中に収納されたりと様々な状態で使用され、装着部７に装着されているＩＣカード８が不用意に装着部７より外れ易い。ＰＤＡ１と装着部７に装着されているＩＣカード８との間でデータ通信を行っているときに、装着部に装着されているＩＣカード８が外れてしまうと、通信しているデータを確実に転送することができなくなってしまう。また、強制的に装着部７より外れると、ＩＣカード８やコネクタ４１が、故障してしまうこともある。
【００６９】
そこで、ＰＤＡ１では、特に、外部に突出するＧＰＳ用、無線通信用、カメラ用等のＩＣカード８が装着部７に装着されたとき、上述したロック機構７１で装着部７に装着されたＩＣカード８をロックをするようにしている。これを、図１４を参照して説明すると、制御部１９は、ステップＳ１において、ＲＯＭ１１に格納されているプログラムに基づいて、装着部７にＩＣカード８が装着されたかどうかを検出する。具体的に、制御部１９は、ＩＣカード５が挿入口６より挿入され、装着部７の装着位置に移動されたとき、装着されたＩＣカード８の端子部２４を構成する複数の接点２６の中の挿入検出用接点の電位を検出し、検出した電位が所定の電位であるとき、ＩＣカード８が装着部７に確実に装着されていると判断し、ステップＳ２に進み、所定電位でないとき、ステップＳ１を繰り返す。
【００７０】
ステップＳ２において、制御部１９は、装着部７に装着されているＩＣカード８にアクセスし、レジスタ３５に格納されているデータの書き込み又は読み出しのための各種パラメータを読み出す。ステップＳ３において、制御部１９は、読み出したデータに含まれているＩＣカード８の種類を示す識別データを抽出し、読み出した識別データに基づいて装着部７に装着されているＩＣカード８の種類を判別する。具体的に、制御部１９は、抽出した識別データに基づいて、装着部７に装着されているＩＣカード８がメモリ用であるか、ＧＰＳ用であるか、無線通信用であるか、カメラ用であるか等の判断を行う。そして、制御部１９は、特定種類のＩＣカード８を検出したとき、ステップＳ４に進み、特定種類のＩＣカード８を検出しなかったとき、ステップＳ７に進む。具体的に、制御部１９は、ＰＤＡ１に装着したとき背面側が外部に突出するＩＣカード、例えばＧＰＳ用、無線通信用、カメラ用等のＩＣカード８であるとき、ステップＳ６に進み、これら以外のＩＣカードであるとき、すなわちメモリ用のＩＣカードであるとき、ステップＳ６に進み、データの書き込みや読み出しを開始する。
【００７１】
ステップＳ４において、制御部１９は、ロック機構７１を構成する検出部７２より検出信号が入力されたかを判断する。すなわち、検出部７２は、ロック部材７６のロック部８１がコネクタ４１のイジェクト部材４５に設けられたカード保持片４９をロックし、ＩＣカード８を装着部７の装着位置にロックしているとき、操作片８８により押圧子が押圧されオンの状態にあり、制御部１９に検出信号を出力する。制御部１９は、検出部７２からの検出信号を検出することで、ロック機構７１がＩＣカード８が装着位置にロックされているかを判断する。そして、制御部１９は、ロック機構７１がＩＣカード８が装着部７の装着位置にロックしていることを検出したとき、ステップＳ７に進み、ロック機構７１がＩＣカード８が装着部７の装着位置にロックしていないことを検出したとき、ステップＳ５に進む。
【００７２】
ステップＳ５において、制御部１９は、表示部１４に、ロック機構７１で装着部７の装着位置にあるＩＣカード８をロックするように促す警告表示を行う。なお、この警告は、視覚的なものの他、スピーカ１６より警告音を発するようにしてもよい。そして、制御部１９は、所定期間警告表示を行った後、ステップＳ４からの処理、すなわち、もう一度ロック機構７１がＩＣカードを装着位置にロックしているかの判断を行う。
【００７３】
ステップＳ７において、制御部１９は、装着部７に装着されているＩＣカードとの間でデータ通信を開始する。すなわち、制御部１９は、ステップＳ３において、装着部７に装着されているＩＣカード８がメモリ用であると判断したとき、ＰＤＡ１側からメモリ用ＩＣカード８へ保存データを出力し、また、操作部５で選択されたデータの読み出しを行う。また、装着部７に装着されているＩＣカード８がＧＰＳ用ＩＣカードであるとき、制御部１９は、ＧＰＳ用ＩＣカードから出力された緯度経度情報を受信し、表示部１４に表示されている地図情報上に現在地を表示する。更に、装着部７に装着されているＩＣカードがカメラ用であるとき、制御部１９は、カメラ用ＩＣカードのカメラ部が撮影した画像データを表示部１４に表示する。更に、無線通信用のＩＣカード８が装着部７に装着されているとき、制御部１９は、記憶部１３等に保存されているデータを他の外部機器に送信し、また、外部機器より送信されたデータを受信する。
【００７４】
なお、ＩＣカード８のイジェクト時、ユーザは、先ず、切換操作部７３を図１３中矢印Ｄ５方向に操作する。この操作によって、切換片８３に設けられた球体８４は、仕切部８７を乗り越え、位置決め部材７８のロック位置用凹部８５からロック解除位置用凹部８６に係合し、ロック部材７６は、ロック解除位置に保持される。これにより、ロック部８１は、挿通孔７９，８０から収納部５１外に待避し、イジェクト部材４５を図１２中矢印Ｄ２方向に移動可能な状態にする。これと共に、検出部７２はオフとなり、制御部１９は、検出部７２がオフとなったことを検出すると、表示部１４に、ＩＣカード８のイジェクトを行って良い旨の案内を表示する。この後、ユーザは、ＩＣカード８の背面側の一部を押圧する。すると、イジェクト部材４５は、圧縮コイルバネ６１の付勢力に抗して図９中反矢印Ｄ２方向に移動する。すると、制御バネ６４の係合部６５は、図９中矢印Ｄ３方向の付勢力により係止突部６６の係合凹部６９と係合した状態が解除され、そして、付勢力により係合突部６６のベース４２側に移動する。制御バネ６４の係合部６５と係止突部６６の係合凹部６９との係合状態が解除されたことで、イジェクト部材４５は、圧縮コイルバネ６１の付勢力により、端子部２４と接続端子４７とを離間させる図１０中矢印Ｄ２方向に移動し、ＩＣカード８の挿脱を行う第１の位置に戻る。この後、ＩＣカード８は、装着部７より引き出される。
【００７５】
以上のような処理例では、ＩＣカード８の種類を判別し、特に装着部７にほぼ全体が収納されるメモリ用ＩＣカード８に比べて装着部７より外れる可能性が高いＧＰＳ用ＩＣカード等の装着時筐体２から突出するＩＣカード８が装着部７に装着されているとき、ロック機構７１がＩＣカード８を装着位置にロックしているかを判断するようにし、ロック時に限ってデータ通信を許可するようにしている。したがって、以上のような処理では、装着部７に装着されているＩＣカード８が、誤操作により又は何かに引っかかって情報処理装置の装着部より外れてしまって、通信中のデータが破損し、また、ＩＣカード８やコネクタ４１が破損してしまうことを防止することができる。
【００７６】
なお、以上説明したロック機構７１について、切換操作部７３を用いて手動でロック部材７６が移動する例を説明したが、このロック部材７６は、駆動モータを駆動源とする駆動部を用いて移動するようにしてもよい。この場合、操作部５には、更に、駆動部をオンオフする操作釦が設けられ、制御部１９は、この操作釦よりロック信号が入力されたとき、駆動部を駆動し、ロック部材７６をロック位置とロック解除位置とに亘って移動するようにすればよい。なお、この場合のロック部材７６と駆動部の構成は、次に説明する図１５に示すロック部材９２と駆動部９３の構成と同じでよい。
【００７７】
また、ロックの切り替えを電動で自動的に行う場合、ロック機構を図１５に示すように構成することもできる。このロック機構９１は、コネクタ４１のイジェクト部材４５に設けられたカード保持片４９をロックするロック部材９２と、このロック部材９２を移動する駆動部９３とを備える。
【００７８】
ロック部材９２は、先端部に、コネクタ４１のイジェクト部材４５に設けられたカード保持片４９の係合凹部４９ｂに係合するロック部９４が設けられている。ロック部９４は、ベース４２の側壁４２ｂに設けられた挿通孔７９及びイジェクト部材４５の移動ガイド部５６に設けられた挿通孔８０を介してコネクタ４１の収納部５１内に進入し、カード保持片４９の係合凹部４９ｂに係合する。すなわち、ＩＣカード８が装着部７に装着されていないとき、図１５に示すように、カード保持片４９の係合突部４９ａは、イジェクト部材４５の移動ガイド部５６に固定された基端部を支点として、収納部５１側に突出する図１５中矢印Ｄ４方向に付勢された状態にある。ＩＣカードが装着部７に装着され、装着位置に移動されると、カード保持片４９の係合突部４９ａは、カード型接続部２１の脱落防止用凹部２３に係合する。このとき、ロック部９４は、ベース４２の側壁４２ｂに設けられた挿通孔７９及びイジェクト部材４５の移動ガイド部５６に設けられた挿通孔８０を介してコネクタ４１の収納部５１内に進入し、カード保持片４９の係合凹部４９ｂに係合し、カード保持片４９の先端部を、脱落防止用凹部２３の方向に押圧し、ＩＣカード８を装着位置にロックする。
【００７９】
ロック部９４の基端側には、ロック部９４を図１５中矢印Ｄ５方向及び反矢印Ｄ５方向に移動するための移動板９５が設けられている。移動板９５は、移動方向に沿ってラックギヤ９６が設けられている。ラックギヤ９６には、駆動部９３が接続される。この駆動部９３は、駆動源となる駆動モータ９７と、この駆動モータ９７の駆動力をラックギヤ９６に伝達するための一又は複数の伝達ギヤ９８とを有する。駆動モータ９７は、制御部１９の制御に基づいて正転及び逆転方向に駆動する。移動板９５は、駆動モータ９７が正転駆動されたとき、ＩＣカード８を装着位置にロックする方向となる図１５中反矢印Ｄ５方向に移動され、駆動モータ９７が逆転駆動されたとき、ロックを解除する図１５中矢印Ｄ５方向に移動される。
【００８０】
移動板９５は、移動方向に沿ってガイド孔９９が設けられている。このガイド孔９９には、筐体２に設けられたガイド軸１００が係合され、移動方向及び移動範囲が規制されている。また、移動板９５は、筐体２に設けられたガイド片１０１によってガイドされている。
【００８１】
以上のように構成されたロック機構９１では、駆動部９３でロック部材９２を移動して、ＩＣカード８が装着部７の装着位置に移動されたとき、脱落防止用凹部２３を保持しているカード保持片４９をロックするようにしている。したがって、装着部７に装着されているＩＣカード８が不用意に装着部７より外れてしまうことを防止することができる。また、このロック機構９１では、駆動部９２で自動的にＩＣカード８を装着位置にロックすることができることから、上述したロック機構７１より操作性の向上を図ることができる。
【００８２】
そして、このようなロック機構９１を用いたときにも、制御部１９は、ＧＰＳ用、無線通信用、カメラ用等特定のＩＣカード８が装着部７に装着されたときに限って、上述したロック機構９１で装着部７に装着されたＩＣカード８をロックをするようにしている。これを、図１６を参照して説明すると、制御部１９は、ステップＳ１１において、ＲＯＭ１１に格納されているプログラムに基づいて、装着部７にＩＣカード８が装着されたかどうかを検出する。具体的に、制御部１９は、ＩＣカード５が挿入口６より挿入され、装着部７の装着位置に移動されたとき、装着されたＩＣカード８の端子部２４を構成する複数の接点２６の中の挿入検出用接点の電位を検出し、検出した電位が所定の電位であるとき、ＩＣカード８が装着部７に確実に装着されていると判断し、ステップＳ１２に進み、所定電位でないとき、ステップＳ１１を繰り返す。
【００８３】
ステップＳ１２において、制御部１９は、装着部７に装着されているＩＣカード８にアクセスし、レジスタ３５に格納されているデータの書き込み又は読み出しのための各種パラメータを読み出す。ステップＳ１３において、制御部１９は、読み出したデータに含まれているＩＣカード８の種類を示す識別データを抽出し、読み出した識別データに基づいて装着部７に装着されているＩＣカード８の種類を判別する。具体的に、制御部１９は、抽出した識別データに基づいて、装着部７に装着されているＩＣカード８がメモリ用であるか、ＧＰＳ用であるか、無線通信用であるか、カメラ用であるか等の判断を行う。そして、制御部１９は、特定種類のＩＣカード８を検出したとき、ステップＳ１４に進み、特定種類のＩＣカード８を検出しなかったとき、ステップＳ１５に進む。具体的に、制御部１９は、ＰＤＡ１に装着したとき背面側が外部に突出するＩＣカード、例えばＧＰＳ用、無線通信用、カメラ用等のＩＣカード８であるとき、ステップＳ１４に進み、これら以外のＩＣカードであるとき、すなわちメモリ用のＩＣカードであるとき、ステップＳ１５に進み、データの書き込みや読み出しを開始する。
【００８４】
装着部７に装着されたＩＣカード８が特定のＩＣカード８であるとき、制御部１９は、ステップＳ１４において、駆動部９３を構成する駆動モータ９７を正転駆動する。すると、ロック部材７６は、伝達ギヤ９８を介して、図１５中反矢印Ｄ５方向に所定距離移動する。これにより、ロック部９４は、ベース４２の側壁４２ｂに設けられた挿通孔７９及びイジェクト部材４５の移動ガイド部５６に設けられた挿通孔８０を介してコネクタ４１の収納部５１内に進入し、カード保持片４９の係合凹部４９ｂに係合し、カード保持片４９の先端部を、脱落防止用凹部２３の方向に押圧し、ＩＣカード８を装着位置にロックする。
【００８５】
ＩＣカード８の装着位置へのロックが終了すると、制御部１９は、ステップＳ１５において、装着部７に装着されているＩＣカードとの間でデータ通信を開始する。すなわち、制御部１９は、ステップＳ１３において、装着部７に装着されているＩＣカード８がメモリ用であると判断したとき、ＰＤＡ１側からメモリ用ＩＣカード８へ保存データを出力し、また、操作部５で選択されたデータの読み出しを行う。また、装着部７に装着されているＩＣカード８がＧＰＳ用ＩＣカードであるとき、制御部１９は、ＧＰＳ用ＩＣカードから出力された緯度経度情報を受信し、表示部１４に表示されている地図情報上に現在地を表示する。更に、装着部７に装着されているＩＣカードがカメラ用であるとき、制御部１９は、カメラ用ＩＣカードのカメラ部が撮影した画像データを表示部１４に表示する。更に、無線通信用のＩＣカード８が装着部７に装着されているとき、制御部１９は、記憶部１３等に保存されているデータを他の外部機器に送信し、また、外部機器より送信されたデータを受信する。
【００８６】
なお、ＩＣカード８のイジェクト時、ユーザは、先ず操作部５を用いてイジェクト指令を入力する。イジェクト指令が入力された制御部１９は、先ず、駆動モータ９７を逆転駆動し、ロック部材９２を図１５中矢印Ｄ５方向に移動させる。これにより、ロック部９４は、挿通孔７９，８０から収納部５１外に待避し、イジェクト部材４５を図１５中矢印Ｄ２方向に移動可能な状態にする。制御部１９は、ロック部材９２をロック解除位置に移動すると、表示部１４に、ＩＣカード８のイジェクトを行って良い旨の案内を表示する。この後、ユーザは、ＩＣカード８の背面側の一部を押圧する。すると、イジェクト部材４５は、圧縮コイルバネ６１の付勢力に抗して図９中反矢印Ｄ２方向に移動する。すると、制御バネ６４の係合部６５は、図９中矢印Ｄ３方向の付勢力により係止突部６６の係合凹部６９と係合した状態が解除され、そして、付勢力により係合突部６６のベース４２側に移動する。制御バネ６４の係合部６５と係止突部６６の係合凹部６９との係合状態が解除されたことで、イジェクト部材４５は、圧縮コイルバネ６１の付勢力により、端子部２４と接続端子４７とを離間させる図１０中矢印Ｄ２方向に移動し、ＩＣカード８の挿脱を行う第１の位置に戻る。この後、ＩＣカード８は、装着部７より引き出される。
【００８７】
以上のような処理例では、ＩＣカード８の種類を判別し、特に装着部７にほぼ全体が収納されるメモリ用ＩＣカード８に比べて装着部７より外れる可能性が高いＧＰＳ用ＩＣカード等の装着時筐体２から突出するＩＣカード８が装着部７に装着されているとき、ロック機構７１がＩＣカード８を装着位置に自動的にロックするようにし、ロック時に限ってデータ通信を許可するようにしている。したがって、以上のような処理では、装着部７に装着されているＩＣカード８が、誤操作により又は何かに引っかかって情報処理装置の装着部より外れてしまって、通信中のデータが破損し、また、ＩＣカード８やコネクタ４１が破損してしまうことを防止することができる。
【００８８】
以上の説明では、ＧＰＳ用、無線通信用、カメラ用のＩＣカード８等が装着部７に装着されたとき、ロック機構７１，９１によって、これらの種類のＩＣカード８を装着部７の装着位置にロックする場合を例に取り説明したが、メモリ用のＩＣカード８であっても特定のメモリ用ＩＣカード８のときにもロックするようにしてもよい。例えば、メモリ用ＩＣカードには、記憶容量が８ＭＢ（メガバイト）、１６ＭＢといった低容量型のものから５１２ＭＢ、１ＧＢ（ギガバイト）といった高容量型のものがある。高容量型のＩＣカードは、保存されるデータも多く、また、高価である。そこで、このような高容量型のメモリ用ＩＣカードの場合も、装着時ロック機構７１，９１によってロックするようにし、データ、ＩＣカード、コネクタが破損することを防止するようにしてもよい。
【００８９】
また、以上の説明では、本発明の具体例として携帯型電子機器であるＰＤＡ１を例に取り説明したが、本発明は、据え置き型の情報処理装置にも適用することができる。
【００９０】
【発明の効果】
本発明によれば、ＩＣカードをデータ通信可能な位置にロックすることから、データ通信中に、ＩＣカードが外れ、データ通信が途中で途切れたり、コネクタやＩＣカードが破損することを防止することができる。
【図面の簡単な説明】
【図１】本発明を適用したＰＤＡの斜視図である。
【図２】上記ＰＤＡのブロック図である。
【図３】上記ＰＤＡに装着されるＧＰＳ用ＩＣカードの斜視図である。
【図４】上記ＧＰＳ用ＩＣカードのブロック図である。
【図５】上記ＰＤＡの装着部を構成するコネクタの斜視図であって、ＩＣカードが未挿入の状態を示す。
【図６】上記コネクタの斜視図であって、ＩＣカードが装着された状態を示す。
【図７】上記コネクタに内蔵されたイジェクト部材の構成を説明する斜視図である。
【図８】ＩＣカード挿入前のイジェクト部材の状態を示す側面図である。
【図９】ＩＣカードが挿入されたときのイジェクト部材の状態を示す側面図である。
【図１０】上記ＰＤＡにＧＰＳ用ＩＣカードが装着された状態を示す平面図である。
【図１１】上記ＰＤＡに設けられたＩＣカードのロック機構を説明する図である。
【図１２】上記ロック機構の詳細を説明する図であり、ＩＣカードの未挿入の状態を示す。
【図１３】上記ロック機構の詳細を説明する図であり、ＩＣカードが挿入された状態を示す。
【図１４】ＩＣカードが挿入されたときの制御部動作を説明するフローチャートである。
【図１５】上記ロック機構の変形例を説明する図である。
【図１６】図１５に示すロック機構の動作を説明するフローチャートである。
【符号の説明】
１　ＰＤＡ、２　筐体、３　指示装置、４　タブレット、５　操作部、６　挿入口、７　装着部、８　ＩＣカード、２１　カード型接続部、２２　面取り部、２３　脱落防止用凹部、２４　端子部、２５　係合凹部、２６　接点、２７　ＧＰＳ本体部、２８　アンテナ部、２９　ヒンジ部、４１　コネクタ、４２　ベース、４３　カバー、４４　蓋体、４５　イジェクト部材、４７　接続端子、４９　カード保持片、４９ａ　係合突部、４９ｂ　係合凹部、７１　ロック機構、７２検出部、７３　切換操作部、７６　ロック部材、７７　圧縮コイルバネ、７８位置決め部材、７９，８０　挿通孔、８１　ロック部、８２　バネ係止部、８３　切換片、８４　球体、８５　ロック位置用凹部、８６　ロック解除位置用凹部、８７　仕切部、８８　操作片
【図１】
2004119140.tif 000003
【図２】
2004119140.tif 000004
【図３】
2004119140.tif 000005
【図４】
2004119140.tif 000006
【図５】
2004119140.tif 000007
【図６】
2004119140.tif 000008
【図７】
2004119140.tif 000009
【図８】
2004119140.tif 000010
【図９】
2004119140.tif 000011
【図１０】
2004119140.tif 000012
【図１１】
2004119140.tif 000013
【図１２】
2004119140.tif 000014
【図１３】
2004119140.tif 000015
【図１４】
2004119140.tif 000016
【図１５】
2004119140.tif 000017
【図１６】
2004119140.tif 000018